(57)【要約】【課題】  壁部の貫通孔にスリーブが装着されている場合、及び装着されていない場合のいずれの場合でも、壁部の壁面に貫通孔及びその貫通孔に対する配管の挿通部分を覆った状態で確実に取り付けることができる配管カバーを提供する。【解決手段】  壁部１１の壁面１１ａに沿って延長されるとともに、壁部１１の貫通孔１２に挿通された配管１３を覆うように、その配管１３の壁面１１ａに沿う延長部分１３ａを覆うための延長覆い部１８と、貫通孔１２及び配管１３の貫通孔１２に対する挿通部分１３ｂを覆うための端部覆い部２０とを備える。端部覆い部２０の端部覆い部本体の壁面側開口部には、貫通孔１２に装着されたスリーブのフランジ部との干渉を避けるための段差状切り欠き２４を形成する。段差状切り欠き２４に着脱可能に装着されるアダプタ２５を設ける。【選択図】      図３
2005226818.tif 000002
【特許請求の範囲】
【請求項１】
壁部の貫通孔及びその貫通孔に挿通された配管を覆うための覆い部を備えた配管カバーにおいて、
前記覆い部の貫通孔と対応する端縁には、貫通孔に装着されたスリーブのフランジ部との干渉を避けるための段差状切り欠きを形成するとともに、その段差状切り欠きに着脱可能に装着されるアダプタを設けたことを特徴とする配管カバー。
【請求項２】
壁面に沿って延長されるとともに、同壁面を形成する壁部の貫通孔に挿通された配管を覆うように、その配管の前記壁面に沿う延長部分を覆うための延長覆い部と、貫通孔及び配管の貫通孔に挿通される部分を覆うための端部覆い部とを備えた配管カバーにおいて、
前記端部覆い部の壁面側の開口部には、前記貫通孔に装着されたスリーブのフランジ部との干渉を避けるための段差状切り欠きを形成するとともに、その段差状切り欠きに着脱可能に装着されるアダプタを設けたことを特徴とする配管カバー。
【発明の詳細な説明】
【技術分野】
【０００１】
この発明は、例えば家庭用空調機の室外機と室内機との間に延長配置される冷媒用配管等の配管を覆うための配管カバーに関するものである。
【背景技術】
【０００２】
一般に、住宅家屋等において家庭用空調機を設置する場合には、家屋の壁部の外側に室外機を配置するとともに、壁部の内側に室内機を取り付け、室外機と室内機との間を可撓性を有する冷媒用配管により連結している。冷媒用配管は、家屋の壁部に形成した貫通孔に挿通されるとともに、壁部の壁面に沿って延長配置される。また、室内機から延びるドレーン用配管や換気用配管を、冷媒用配管に沿わせて、その冷媒用配管とともに貫通孔に挿通して、室外に導出している。
【０００３】
この場合、特許文献１に開示されるように、冷媒用配管やドレーン用配管等の配管を保護するため、あるいは家屋外観や景観を向上させるために、壁部の壁面に配管カバーが取り付けられ、その配管カバーにより前記各配管の壁面に沿った延長部分や、壁部の貫通孔及びその貫通孔に対する各配管の挿通部分が覆われるようになっている。
【特許文献１】特開２０００−３３７５５４号公報
【発明の開示】
【発明が解決しようとする課題】
【０００４】
ところが、前記配管を挿通する壁部の貫通孔の両端部には、フランジ部を有する合成樹脂製またはステンレススチール製のスリーブが装着されている場合と、装着されていない場合とがある。すなわち、新築家屋においては、壁部の適当箇所にあらかじめ貫通孔が形成されて、空調機の設置に即応できるようになっており、貫通孔の両端開口部には貫通孔閉鎖用の蓋体を着脱可能に取り付けるためのスリーブが装着されている。そして、空調機の設置に際しては、前記蓋体が外されて各配管が貫通孔内に通される。また、既設の家屋に家庭用空調機を設置する際にも、その設置時に壁部の適当箇所に貫通孔を形成して、貫通孔にスリーブ及びそのスリーブの蓋体が装着されることもあり得るし、スリーブ等を装着することなく、空調機を設置することもある。
【０００５】
このため、貫通孔にスリーブが装着されている場合には、家屋壁部の壁面に配管カバーを取り付けたとき、その配管カバーの端部の開口周縁がスリーブのフランジ部と干渉して、配管カバーと壁面との間に隙間が生じ、配管カバーを壁面に接合状態で強固に固定することができず、外観も劣るという問題があった。
【０００６】
このような問題に対処するため、例えば配管カバーの端部の開口周縁に切り欠きを形成して、配管カバーの端部とスリーブのフランジ部との干渉を避けるように構成することも考えられる。しかしながら、このように構成すると、壁部の貫通孔にスリーブが装着されていない場合に、切り欠き部分が開放状態になって、その開放部分から配管カバー内に塵埃や雨水等が侵入するおそれがあり、配管カバーとしての機能が低下することになる。
【０００７】
この発明は、このような従来の技術に存在する問題点に着目してなされたものである。その目的は、壁部の貫通孔にスリーブが装着されている場合、及び装着されていない場合のいずれの場合でも、壁部の壁面に貫通孔及びその貫通孔に対する配管の挿通部分を覆った状態で隙間等が生じることなく確実に取り付けることができる配管カバーを提供することにある。
【課題を解決するための手段】
【０００８】
上記の目的を達成するために、請求項１に記載の発明は、壁部の貫通孔及びその貫通孔に挿通された配管を覆うための覆い部を備えた配管カバーにおいて、前記覆い部の貫通孔と対応する端縁には、貫通孔に装着されたスリーブのフランジ部との干渉を避けるための段差状切り欠きを形成するとともに、その段差状切り欠きに着脱可能に装着されるアダプタを設けたことを特徴とするものである。
【０００９】
請求項２に記載の発明は、壁面に沿って延長されるとともに、同壁面を形成する壁部の貫通孔に挿通された配管を覆うように、その配管の前記壁面に沿う延長部分を覆うための延長覆い部と、貫通孔及び配管の貫通孔に挿通される部分を覆うための端部覆い部とを備えた配管カバーにおいて、前記端部覆い部の壁面側の開口部には、前記貫通孔に装着されたスリーブのフランジ部との干渉を避けるための段差状切り欠きを形成するとともに、その段差状切り欠きに着脱可能に装着されるアダプタを設けたことを特徴とするものである。
【００１０】
（作用）
請求項１及び請求項２に記載の発明においては、壁部の貫通孔にスリーブが装着されている場合、覆い部の段差状切り欠きからアダプタを取り外した状態で、覆い部を壁部の壁面に取り付けて、配管を覆うようにする。これにより、覆い部の段差状切り欠きがスリーブのフランジ部に対応配置されて、覆い部の端部とスリーブのフランジ部との干渉が回避されるとともに、段差状切り欠きによる隙間がこのフランジによって閉鎖される。よって、覆い部と壁部の壁面との間に隙間が形成されることがなく、覆い部を壁面に接合状態で強固に固定することができる。
【００１１】
これに対して、壁部の貫通孔にスリーブが装着されていない場合には、覆い部の段差状切り欠きにアダプタを配設した状態で、覆い部を壁部の壁面に取り付けて、配管を覆うようにする。これにより、覆い部の段差状切り欠きがアダプタにより閉鎖されて、覆い部の端部と壁面との間に開放部分が形成されることなく、覆い部を壁面に閉鎖状態で固定することができる。よって、覆い部の段差状切り欠きの開放部分から、内部に塵埃や雨水等が侵入するおそれを防止することができる。
【発明の効果】
【００１２】
以上のように、この発明によれば、壁部の貫通孔にスリーブが装着されている場合、及び装着されていない場合のいずれの場合でも、壁部の壁面に貫通孔及びその貫通孔に対する配管の挿通部分を配管カバーにより覆った状態で、その配管カバーを壁面に対して隙間が生じることなく確実に取り付けることができる。
【発明を実施するための最良の形態】
【００１３】
以下に、この発明の一実施形態を、図面に基づいて説明する。
図１，図２，図３及び図７に示すように、住宅家屋等の壁部１１には家庭用空調機の設置のために貫通孔１２が形成されている。貫通孔１２には冷媒用配管等の配管１３が挿通され、その冷媒用配管１３の外端が壁部１１の外壁面１１ａに沿って延長されて空調機の室外機に接続されるとともに、内端が空調機の室内機に接続されている。壁部１１の外壁面１１ａにはこの実施形態の配管カバー１４が取り付けられ、この配管カバー１４により、配管１３の外壁面１１ａに沿った延長部分１３ａ、壁部１１の貫通孔１２、及びその貫通孔１２に対する配管１３の挿通部分１３ｂが覆われる。なお、図３及び図７においては、理解を容易にするために、配管１３を１本の太いものとして描いたが、実際には、供給側冷媒用配管、戻り側冷媒用配管、ドレーン用配管等の複数の配管が存在する。
【００１４】
図７に示すように、一般に、前記壁部１１の貫通孔１２が住宅家屋等の新築時に形成される場合には、その貫通孔１２の両端部にフランジ部１５ａを有する合成樹脂製のスリーブ１５が装着されて、壁部１１の内外においてスリーブ１５の内周のネジ部１５ｂに蓋体１５ｃ（壁部１１の内側の蓋体１５ｃのみを図示している）が着脱可能に螺合される。そして、家庭用空調機の設置に際して、スリーブ１５から蓋体１５ｃを取り外した状態で、貫通孔１２内（スリーブ１５内）に冷媒用配管等の配管１３が挿通される。また、このスリーブ１５の装着状態で、配管カバー１４が壁部１１の外壁面１１ａに取り付けられる場合には、後述するように配管カバー１４と貫通孔１２の外端側のスリーブ１５のフランジ部１５ａとの干渉が回避されるようになっている。
【００１５】
そこで、配管カバー１４の構成を詳述する。図１〜図４に示すように、前記配管カバー１４は、配管１３の外壁面１１ａに沿った延長部分１３ａを覆うための合成樹脂製の延長覆い部１８を備え、その延長覆い部１８は、延長覆い部本体１８ｂと、その延長覆い部本体１８ｂを外壁面１１ａに取り付けるための延長取付部１９とを備えている。さらに、配管カバー１４は、壁部１１の貫通孔１２及び貫通孔１２に対する配管１３の挿通部分１３ｂを覆うための合成樹脂製の端部覆い部２０を備え、その端部覆い部２０は、端部覆い部本体２０ｃと、その端部覆い部本体２０ｃを外壁面１１ａに取り付けるための端部取付部２１とを備えている。
【００１６】
前記延長取付部１９は、断面ほぼ扁平Ｕ字形の長尺状をなすように形成されている。延長取付部１９の両側外面には一対の係止溝１９ａが長手方向へ延びるように形成されるとともに、底部中央には複数の挿通孔１９ｂが長手方向へ所定間隔おきに形成されている。そして、前記壁部１１の外壁面１１ａに配管１３を延長配置するのに先立って、この延長取付部１９を所要長さに切断するとともに、その挿通孔１９ｂから壁部１１にネジ２２を螺合することにより、延長取付部１９が壁部１１の外壁面１１ａに取り付けられるようになっている。
【００１７】
前記延長覆い部本体１８ｂは、断面ほぼ逆Ｕ字形の長尺状をなすように形成されている。延長覆い部本体１８ｂの両側内面には一対の係合突条１８ａが長手方向へ延びるように形成されている。そして、壁部１１の外壁面１１ａに延長取付部１９を取り付けた後、その延長取付部１９に沿って配管１３を延長配置した状態で、この延長覆い部本体１８ｂを所要長さ（通常、延長取付部１９と同じ長さ）に切断するとともに、その延長覆い部本体１８ｂの係合突条１８ａを延長取付部１９の係止溝１９ａに係合させることにより、延長覆い部本体１８ｂが延長取付部１９上に止着される。これにより、配管１３の延長部分１３ａが覆われるようになっている。
【００１８】
図４〜図６に示すように、前記端部取付部２１の両側に形成した側壁２１ｅの外面には一対の係止凹部２１ａが形成されるとともに、底部両端には一対の挿通孔２１ｂが形成されている。また、端部取付部２１の底部には平面円弧状の隆起部２１ｃが形成され、その隆起部２１ｃの両端には一対の係合孔２１ｄが形成されている。そして、壁部１１の貫通孔１２に配管１３を挿通するのに先立って、端部取付部２１の挿通孔２１ｂから壁部１１にネジ２３を螺合することにより、端部取付部２１が延長取付部１９に隣接して壁部１１の外壁面１１ａに取り付けられるようになっている。
【００１９】
前記端部覆い部本体２０ｃは、壁部１１の外壁面１１ａに対する取付状態で外壁面１１ａ側に開口するように、断面ほぼ逆Ｕ字状に形成されている。端部覆い部本体２０ｃの両側内面には一対の係合凸部２０ａが形成されるとともに、開口端部の中央内面には係合凹部２０ｂが形成されている。そして、壁部１１の外壁面１１ａに端部取付部２１を取り付けた後、壁部１１の貫通孔１２に配管１３を挿通した状態で、この端部覆い部本体２０ｃの係合凸部２０ａを端部取付部２１の係止凹部２１ａに係合させることにより、端部覆い部本体２０ｃが端部取付部２１上に止着される。このとき、端部覆い部本体２０ｃの基端部が延長覆い部本体１８ｂの先端部の外面に外側から重合配置される。この状態で、壁部１１の貫通孔１２及びその貫通孔１２に対する配管１３の挿通部分１３ｂが覆われるようになっている。なお、前記係合凸部２０ａ及び係止凹部２１ａの凹凸関係を逆にして、係合凸部２０ａを端部取付部２１側に、係止凹部２１ａを端部覆い部本体２０ｃ側に設けてもよい。
【００２０】
図１〜図４及び図７に示すように、前記端部覆い部本体２０ｃの開口端部（壁面側の開口部）には段差状切り欠き２４が形成されている。そして、図７に示すように、壁部１１の貫通孔１２にスリーブ１５が装着されている状態で、壁部１１の外壁面１１ａに端部覆い部本体２０ｃが取り付けられた場合に、この段差状切り欠き２４内に外側スリーブ１５のフランジ部１５ａが配置されて、端部覆い部本体２０ｃの開口端部とスリーブ１５のフランジ部１５ａとの干渉が回避されるようになっている。
【００２１】
前記端部覆い部本体２０ｃの段差状切り欠き２４には、必要に応じてアダプタ２５が着脱可能に装着されるようになっている。このアダプタ２５は、合成樹脂により全体としてほぼＵ字状をなすように形成されている。アダプタ２５の中央部には挿通孔２５ａ及び係合爪２５ｂが形成されるとともに、両側内部には一対の係合ピン２５ｃが突設されている。そして、図１及び図３に示すように、壁部１１の貫通孔１２にスリーブ１５が装着されていない状態で、壁部１１の外壁面１１ａに端部覆い部本体２０ｃが取り付けられる場合に、このアダプタ２５が端部覆い部本体２０ｃの段差状切り欠き２４内に嵌合配置されるようになっている。
【００２２】
すなわち、貫通孔１２にスリーブ１５が装着されていない場合には、壁部１１の外壁面１１ａに端部覆い部２０を取り付ける際に、アダプタ２５の挿通孔２５ａから壁部１１にネジ２６を螺合することにより、そのアダプタ２５が貫通孔１２の外端周縁に位置するように壁部１１の外壁面１１ａに取り付けられる。このとき、アダプタ２５の係合ピン２５ｃが端部取付部２１の係合孔２１ｄに対して外壁面１１ａ側から係合されることにより、アダプタ２５の両側端部が端部取付部２１に係止される。この状態で、端部覆い部本体２０ｃが端部取付部２１に取り付けられることにより、端部覆い部本体２０ｃの係合凹部２０ｂがアダプタ２５の係合爪２５ｂに係合されて、アダプタ２５が端部覆い部本体２０ｃの段差状切り欠き２４内に配置される。これにより、端部覆い部本体２０ｃの段差状切り欠き２４が閉鎖される。なお、前記係合ピン２５ｃと係合孔２１ｄとの凹凸関係を逆にして、係合ピン２５ｃを端部取付部２１側に、係合孔２１ｄをアダプタ２５側に設けてもよい。また、係合凹部２０ｂと係合爪２５ｂとの凹凸関係を逆にして、係合凹部２０ｂをアダプタ２５側に、係合爪２５ｂを端部覆い部本体２０ｃ側に設けてもよい。
【００２３】
次に、前記のように構成された配管カバー１４を使用して、家庭用空調機の冷媒用配管等の配管１３を覆う場合の施工方法について説明する。
まず、図１、図３、図５及び図６に示すように、家屋の壁部１１の貫通孔１２にスリーブ１５が装着されていない場合について説明する。まず、ネジ２６により貫通孔１２の外端周縁の外壁面１１ａにアダプタ２５を取り付け、そのアダプタ２５の係合ピン２５ｃに端部取付部２１の係合孔２１ｄに係合させた状態で、ネジ２３により端部取付部２１を外壁面１１ａに取り付ける。このようにして、アダプタ２５及び端部取付部２１が位置決め状態で外壁面１１ａに取付固定される。なお、この場合、アダプタ２５と端部取付部２１とをそれらの係合ピン２５ｃと係合孔２１ｄとの係合によりあらかじめ組み付けておき、その状態でアダプタ２５及び端部取付部２１を壁部１１の貫通孔１２の周囲にネジ２６，２３により同時に固定してもよい。次に、ネジ２２により壁部１１の外壁面１１ａに延長取付部１９を取り付ける。この状態で、空調機の室内機から延びる配管１３を貫通孔１２に挿通するとともに、その配管１３を端部取付部２１及び延長取付部１９に沿って室外機まで延長配置する。
【００２４】
その後、延長覆い部本体１８ｂを係合突条１８ａと係止溝１９ａとの係合により延長取付部１９上に取り付けると、その延長覆い部本体１８ｂによって、外壁面１１ａに沿った配管１３の延長部分１３ａが覆われる。続いて、端部覆い部本体２０ｃを係合凸部２０ａと係止凹部２１ａとの係合により端部取付部２１上に取り付けると、端部覆い部本体２０ｃの基端部が延長覆い部本体１８ｂの先端部の外面に重合配置され、その端部覆い部本体２０ｃによって、貫通孔１２及びその貫通孔１２に対する配管１３の挿通部分１３ｂが覆われる。
【００２５】
このとき、端部覆い部本体２０ｃの係合凹部２０ｂがアダプタ２５の係合爪２５ｂに係合され、端部覆い部本体２０ｃの段差状切り欠き２４内にアダプタ２５が配置されて、その段差状切り欠き２４が閉鎖状態に保持される。よって、貫通孔１２にスリーブ１５が装着されていない状態で、壁部１１の外壁面１１ａに端部覆い部本体２０ｃを取り付けた場合、その端部覆い部本体２０ｃの段差状切り欠き２４にて、端部覆い部本体２０ｃの開口端部と外壁面１１ａとの間に開放部分が形成されることはない。従って、この段差状切り欠き２４の部分から、内部に塵埃や雨水等が侵入するおそれを防止することができる。
【００２６】
なお、配管１３を貫通孔１２に挿通するとともに、室外機まで延長配置した後に、その配管１３を配管カバー１４で覆うこともできる。この場合には、前記と同様にアダプタ２５をネジ２６で固定した後に、端部取付部２１を壁部１１と配管１３との間に差し込んでネジ２２により壁部１１に固定し、次いで、同様に延長取付部１９を壁部１１と配管１３との間に差し込んでネジ２２により壁部１１に固定する。その後の作業は前記と同様である。
【００２７】
一方、図２及び図７に示すように、貫通孔１２にスリーブ１５が装着されている場合にも、前記と同様に、ネジ２２，２３により、壁部１１の外壁面１１ａに端部取付部２１及び延長取付部１９を取り付ける。ただし、この場合には、貫通孔１２の外端周縁の外壁面１１ａに外側スリーブ１５のフランジ部１５ａが位置しているため、その外壁面１１ａにアダプタ２５は取り付けない。この状態で、前記の場合と同様に、配管１３を貫通孔１２に挿通するとともに、その配管１３を端部取付部２１及び延長取付部１９に沿って延長配置する。
【００２８】
その後、延長取付部１９上に延長覆い部本体１８ｂを取り付けると、その延長覆い部本体１８ｂにより、配管１３の延長部分１３ａが覆われる。続いて、端部取付部２１上に端部覆い部本体２０ｃを取り付けると、その端部覆い部本体２０ｃにより、貫通孔１２及びその貫通孔１２に対する配管１３の挿通部分１３ｂが覆われる。このとき、端部覆い部本体２０ｃのアダプタ２５の存在しない段差状切り欠き２４が外側スリーブ１５のフランジ部１５ａに対応配置されて、端部覆い部本体２０ｃの開口端部とスリーブ１５のフランジ部１５ａとの干渉が回避され、フランジ部１５ａは段差状切り欠き２４内に隙間なく嵌合される。よって、端部覆い部本体２０ｃの開口端部とスリーブ１５のフランジ部１５ａとの干渉を避けることができるとともに、端部覆い部本体２０ｃと壁部１１の外壁面１１ａとの間に隙間が形成されることがなく、端部覆い部本体２０ｃを外壁面１１ａに接合した状態で強固に固定することができる。
【００２９】
なお、前記説明では、アダプタ２５を外壁面１１ａに取り付けた後に、そのアダプタ２５に対して端部覆い部本体２０ｃを取り付けたが、これとは逆に、アダプタ２５を端部覆い部本体２０ｃの段差状切り欠き２４側に取り付けた状態で、端部覆い部本体２０ｃを壁部１１の外壁面１１ａに取り付けてもよい。
【００３０】
また、前記説明では、配管１３を壁部１１の外壁面１１ａに沿わせる場合について説明したが、内壁面に沿わせる場合に、この実施形態の配管カバー１４を用いてもよい。さらに、前記説明では、配管１３を上下方向に延長する場合について説明したが、横方向や斜め方向に延長する場合に、この実施形態の配管カバー１４を用いてもよい。
【００３１】
（変更例）
なお、この実施形態は、次のように変更して具体化することも可能である。
・  端部覆い部本体２０ｃに換気用の開口を設けること。すなわち、壁部１１に換気口が設けられている場合に、端部覆い部本体２０ｃの壁面側にその換気口と対応する開口を設けるとともに、その開口との間で空気の流通を行う別の開口を端部覆い部本体２０ｃの側壁に設けて、家屋の室内の換気を実行できるように構成すること。
【００３２】
・  図８（ａ）〜（ｃ）に示すように、端部覆い部２０の端部取付部２１を、延長覆い部１８の延長取付部１９とほぼ同様にほぼ扁平Ｕ字状に構成するとともに、スリーブ１５のフランジ部１５ａとの干渉を避けるための段差状切り欠き２４をその端部取付部２１に形成すること。従って、アダプタ２５は、この段差状切り欠き２４に嵌合される。アダプタ２５と端部取付部２１との固定は、前記実施形態における係合凹部２０ｂと係合爪２５ｂとを端部覆い部本体２０ｃ及び端部取付部２１それぞれに設ければよい。
【００３３】
・  前記実施形態では、延長取付部１９，端部取付部２１及びアダプタ２５に固定用ネジのための孔１９ｂ，２１ｂ，２５ａを形成したが、これらの孔１９ｂ，２１ｂ，２５ａの代わりに、底壁を薄肉にした凹部を形成すること。従って、ネジは、この底壁を突き破って外壁面１１ａに固定される。
【００３４】
・  図９（ａ）（ｂ）に示すように、端部取付部２１の隆起部２１ｃの両端部に段差部２１ｆを形成し、アダプタ２５の両端２５ｆを隆起部２１ｃの下面と段差部２１ｆの上面との間に挟むようにすること。このようにすれば、係合ピン２５ｃと係合孔２１ｄとの係合状態を安定させることができ、外壁面１１ａに対する固定作業が容易になるとともに、その固定状態が安定する。なお、このように構成した場合には、図９（ａ）から明らかなように、アダプタ２５の両端２５ｆをやや延長させて、段差部２１ｆの上面に対する接触面積を広くするのが好ましい。なお、この変形例においては、係合ピン２５ｃを係合孔２１ｄに対して挿入しやすくするために、係合ピン２５ｃの上端を半球状にするのが望ましい。
【００３５】
・  図１０（ａ）（ｂ）に示すように、前記実施形態における端部覆い部２０及び端部取付部２１の係合凸部２０ａ及び係止凹部２１ａの代わりに、端部覆い部２０の内側面に係止環２０ｇを、端部取付部２１に係合爪２１ｇを設けること。そして、この変形例においては、端部覆い部２０の側壁を内方に撓ませることにより、係止環２０ｇと係合爪２１ｇとの係合を解除して、係止環２０ｇを係合爪２１ｇから外すことができるようにしている。
【図面の簡単な説明】
【００３６】
【図１】一実施形態の配管カバーをスリーブが存在しない状況下で使用した状態を示す要部斜視図。
【図２】同じく一実施形態の配管カバーをスリーブが存在する状況下で使用した状態を示す要部斜視図。
【図３】図１の配管カバーの要部縦断面図。
【図４】同配管カバーの分解斜視図。
【図５】同配管カバーの要部横断面図。
【図６】図５と別の位置における要部横断面図。
【図７】配管カバーを図１と異なった使用状態で示す要部斜視図。
【図８】（ａ）〜（ｃ）は、それぞれ異なる実施形態を示す側面図、ｂ−ｂ断面図、ｃ−ｃ断面図。
【図９】（ａ）（ｂ）は、それぞれ変形例を示す分解一部斜視図、一部断面図。
【図１０】（ａ）（ｂ）は、それぞれさらなる変形例を示す一部斜視図、一部断面図。
【符号の説明】
【００３７】
１１…壁部、１１ａ…外壁面、１２…貫通孔、１３…配管、１３ａ…延長部分、１３ｂ…挿通部分、１４…配管カバー、１５…スリーブ、１５ａ…フランジ部、１８…延長覆い部、１９…延長取付部、２０…端部覆い部、２１…端部取付部、２４…段差状切り欠き、２５…アダプタ。
【図１】
2005226818.tif 000003
【図２】
2005226818.tif 000004
【図３】
2005226818.tif 000005
【図４】
2005226818.tif 000006
【図５】
2005226818.tif 000007
【図６】
2005226818.tif 000008
【図７】
2005226818.tif 000009
【図８】
2005226818.tif 000010
【図９】
2005226818.tif 000011
【図１０】
2005226818.tif 000012